(57)【要約】  【課題】記録シートと原稿に共通の搬送ローラの搬送速度に対する原稿用搬送ローラからのバックテンションの作用を無くすことができ、記録シート及び原稿の搬送精度を確保しつつ、装置の小型化及びコストダウンを図る。  【解決手段】搬送方向の上流から、積載シートを分離給送する給送手段６０２、原稿の読取搬送を行う第１搬送手段１００、原稿を読取る読取手段２８、記録シートを副走査する第２搬送手段１０、画像を記録する記録手段１、シートを排出する排紙手段１７の順に配置し、第１搬送手段の搬送速度を第２搬送手段より速く設定するか、あるいは第１搬送手段を駆動切替手段１０５を介して共通の駆動源２０に連結する。【選択図】                図１
2006270316.tif 000002
【特許請求の範囲】
【請求項１】
記録シートに記録する記録手段と、
原稿を読み取る読取手段と、
前記記録手段又は前記読取手段に記録シート又は原稿を供給するために積載シートの最上位のものから順次給送する給送手段と、
前記読取手段の上流側に配置される第１搬送手段と、
前記記録手段の上流側に配置される第２搬送手段と、
記録シート又は原稿を排出するための排紙手段とを備え、
搬送方向の上流から給送手段、第１搬送手段、読取手段、第２搬送手段、記録手段、排紙手段の順に配置され、
前記第１搬送手段の搬送速度は前記第２搬送手段の搬送速度より速く設定されていることを特徴とする画像読取記録装置。
【請求項２】
記録シートに記録する記録手段と、
原稿を読み取る読取手段と、
前記記録手段又は前記読取手段に記録シート又は原稿を供給するために積載シートの最上位のものから順次給送する給送手段と、
前記読取手段の上流側に配置される第１搬送手段と、
前記記録手段の上流側に配置される第２搬送手段と、
記録シート又は原稿を排出するための排紙手段とを備え、
搬送方向の上流から給送手段、第１搬送手段、読取手段、第２搬送手段、記録手段、排紙手段の順に配置され、
前記第１搬送手段は駆動伝達の有無を選択的に切り替える駆動切替手段を介して駆動源に連結されていることを特徴とする画像読取記録装置。
【請求項３】
前記読取手段における前記原稿の読み取り面は、前記第１搬送手段のニップ部と前記第２搬送手段のニップ部を結ぶ線より上方又は下方にずれた位置にあることを特徴とする請求項１又は２に記載の画像読取記録装置。
【請求項４】
前記給送手段と前記第１搬送手段と前記第２搬送手段は同一の駆動源で駆動されることを特徴とする請求項１〜３のいずれか１項に記載の画像読取記録装置。
【発明の詳細な説明】
【技術分野】
【０００１】
本発明は、記録シートに記録する記録手段と原稿を読み取る読取手段とを一体的に備えたファクシミリ等の画像読取記録装置に関する。
【背景技術】
【０００２】
記録シートに記録する記録手段と原稿を読み取る読取手段とを一体的に備えたファクシミリ等の画像読取記録装置においては、市場の要望等から装置を小型化しようとする場合、記録シートの搬送路と原稿の搬送路を共用させることが考えられる。これによると、例えば、原稿の搬送に用いていた給送ローラ及び排紙ローラ、並びに原稿搬送用の駆動モータ等が削除された構成となる。このような装置構成により、画像読取記録装置の小型化及びコストダウンが実現可能となる。
【０００３】
上記のような共通の搬送路を備えた画像読取記録装置においては、共通の搬送路へ導かれる記録シート及び原稿はそれぞれ別の給送手段で給紙してもよいが、小型化のためには同一の給送手段により給紙する方が望ましい。また、原稿上の画像情報を読み取るための読取センサは、共通の搬送路上で固定配置することが望ましい。ただし、読取センサを固定配置する場合は、記録動作のときに発生するインクミストの影響を無くしたり、給紙を失敗したときに起きるプラテンへの画像記録を無くすために、読取センサは共通の搬送ローラより手前（上流側）に配置することが望ましい（例えば特許文献１参照）。
【特許文献１】特開平７−１８３９９０号公報
【発明の開示】
【発明が解決しようとする課題】
【０００４】
しかしながら、読取センサを共通の搬送ローラの上流側に配置すると、読取動作中の搬送精度は給紙ローラで左右されることになり、読取画像が不安定になる。このような不都合を解消するために、読取センサの上流側に原稿用搬送ローラを追加することで読取精度を安定させることが考えられる。しかし、記録シートに記録するときの搬送精度を司る共通の搬送ローラは１ラインの送りを高精度で搬送する必要があり、原稿用搬送ローラを追加すると、下流側の共通の搬送ローラがこの上流側の原稿用搬送ローラからのバックテンションを受けることになり、記録画像の内容が乱れるという不都合が生じる。
【０００５】
本発明はこのような技術的課題に鑑みてなされたものであり、本発明の目的は、共通の搬送手段の搬送速度に対する原稿用搬送手段からのバックテンションの作用を無くすことができ、記録シート及び原稿の搬送精度を確保しつつ、装置の小型化及びコストダウンを図ることができる画像読取記録装置を提供することである。
【課題を解決するための手段】
【０００６】
本発明による画像読取記録装置は、上記目的を達成するため、記録シートに記録する記録手段と、原稿を読み取る読取手段と、前記記録手段又は前記読取手段に記録シート又は原稿を供給するために積載シートの最上位のものから順次給送する給送手段と、前記読取手段の上流側に配置される第１搬送手段と、前記記録手段の上流側に配置される第２搬送手段と、記録シート又は原稿を排出するための排紙手段とを備え、搬送方向の上流から給送手段、第１搬送手段、読取手段、第２搬送手段、記録手段、排紙手段の順に配置され、前記第１搬送手段の搬送速度は前記第２搬送手段の搬送速度より速く設定されていることを特徴とする。
【０００７】
別の本発明による画像読取記録装置は、上記目的を達成するため、記録シートに記録する記録手段と、原稿を読み取る読取手段と、前記記録手段又は前記読取手段に記録シート又は原稿を供給するために積載シートの最上位のものから順次給送する給送手段と、前記読取手段の上流側に配置される第１搬送手段と、前記記録手段の上流側に配置される第２搬送手段と、記録シート又は原稿を排出するための排紙手段とを備え、搬送方向の上流から給送手段、第１搬送手段、読取手段、第２搬送手段、記録手段、排紙手段の順に配置され、前記第１搬送手段は駆動伝達の有無を選択的に切り替える駆動切替手段を介して駆動源に連結されていることを特徴とする。
【発明の効果】
【０００８】
本発明によれば、共通の搬送手段の搬送速度に対する原稿用搬送手段からのバックテンションの作用を無くすことができ、記録シート及び原稿の搬送精度を確保しつつ、装置の小型化及びコストダウンを図ることができる画像読取記録装置が提供される。
【発明を実施するための最良の形態】
【０００９】
以下、図面を参照して本発明の実施形態を具体的に説明する。なお、各図面を通して同一符号は同一又は対応部分を示すものである。本実施形態に係る画像読取記録装置は、記録媒体としての記録シートに画像を記録する記録機能と原稿の画像を読み取る読取機能とを有し、記録シート及び原稿に共通の搬送路に記録機能を有する記録部と読取機能を有する読取部とが配置されている装置である。図１は本発明による画像読取記録装置の一実施形態の構成を示す模式的縦断面図である。図２は図１の画像読取記録装置を右側上部から模式的斜視図であり、図３は図１の画像読取記録装置を左側上部から見た模式的斜視図である。
【００１０】
先ず、図１〜図３を参照して全体構成について説明する。図１〜図３において、記録部４６のシャーシ７には、記録手段である記録ヘッド（本実施形態ではカートリッジ）１を搭載したキャリッジ４を装置幅方向に往復移動（主走査）させるためガイドレール７ａが設けられている。シャーシ７の背面には、装置全体の制御を行うための制御基板５００が装着されている。図８は制御基板５００及び該基板に接続された各機能部を示すブロック図である。図８において、制御基板５００は、不図示のケーブルによって、シート（記録シート及び原稿）を搬送するための駆動モータ２０、キャリッジ駆動モータ３３、不図示のスピーカ、操作部５０８、画像の読み取りを行う読取部２８、電源５０５、電話機５０６、及び回線接続用ＮＣＵ５０４などと接続されている。
【００１１】
図１〜図３において、制御基板５００の更に後方には、記録シート２及び原稿１２を積載するためのベース部材３５と、記録シート２及び原稿１２の積載を補助するための給紙トレイ８と、記録シート及び原稿を分離給送するための給送部（給紙部）６０２が配設されている。また、積載シートである記録シート２と原稿１２は、圧板９に着脱可能に取付けられたセパレータ１０２により区分けして積載されている。一般的な使用状況を鑑みると、記録シート２よりも原稿１２を装置手前（上側）にセット可能にすることが好ましい。本実施形態においては、原稿１２はセパレータ１０２の上面側に積載される。セパレータ１０２には、原稿のサイズに合わせて左右方向に移動可能なスライダ１１４が装着されている。
【００１２】
給送部（給送手段）６０２で分離給送されるシート（記録シート２又は原稿１２）は、第１搬送ローラ１００と押圧コロ１０１からなる第１搬送手段に侠持され、読取部（読取手段）２８へ搬送される。読取部２８を通過した記録シート２又は原稿１２は、第２搬送ローラ１０と複数個（例えば４個）のピンチローラ１６からなる第２搬送手段によって侠持され、記録部４６へ搬送される。記録手段である記録ヘッド１によって記録された記録シート２又は読取手段２８で読み取りを終えた原稿１２は、排紙ローラ１７及び拍車１８からなる排紙手段により装置本体外へ排紙される。
【００１３】
図８は図１の画像読取記録装置の制御基板及び該基板に接続された各機能部を示すブロック図である。次に、図８を参照して、各部を駆動制御する制御系について説明する。図８において、５００ａは主に制御基板５００（図１、図２）上に実装される制御部である。この制御部５００ａは、ＡＣ商用電源を整流し装置全体に電力を供給する電源５０５、電話機５０６及び回線を接続するＮＣＵ基板５０４、操作部５０８から入力した内容等を表示する表示部５０９、原稿１２を読み取る読取部２８、駆動モータ２０及びキャリッジ駆動モータ３３等と接続されている。モジュラーは、ＮＣＵ基板５０４に実装されている。
【００１４】
制御部５００ａは、装置全体の制御を行うＣＰＵ５００ｈと、各種プログラムや各種データ等を格納したＲＯＭ５００ｆと、ＣＰＵ５００ｈのワークエリアとして使用されるとともに記録枚数等の各種データの一時保存を行うＲＡＭ５００ｇ等を有する。ラインメモリ５００ｂは画像データの各ラインのイメージを格納するものであり、原稿の送信又はコピーの場合には読取部２８からの１ライン分のイメージデータが格納され、画像データの受信の場合は復合された１ライン分のイメージデータが格納される。そして、前記ラインメモリ５００ｂに格納された各種データを後述する記録手段に出力することによって画像記録が行われる。
【００１５】
制御部５００ａに設けられた符号化／復合化部５００ｃは、送信する画像情報をＭＨ符号化等により符号化し、受信した符号化画像データを復合化してイメージデータに変換する。バッファメモリ５００ｄには、送受信された符号化画像データが格納される。本実施形態では、駆動モータ２０として定電流型のパルスモータが使用されている。駆動モータ２０の駆動は、ＣＰＵの出力ポートからの信号をモータドライバ５００ｊによって相信号に変換し、この相信号を該駆動モータに伝達することにより行われる。
【００１６】
図４は図３中の駆動切替手段の待機状態を模式的に示す部分正面図であり、図５は図３中の駆動切替手段の待機状態を模式的に示す部分側面図である。図６は図３中の駆動切替手段の第１搬送手段への駆動伝達状態を模式的に示す部分正面図であり、図７は図３中の駆動切替手段の第１搬送手段への駆動伝達状態を模式的に示す部分側面図である。
本実施形態では、給送部６０２における記録シート２及び原稿１２の分離給送の動作、第１搬送ローラ１００の駆動、第２搬送ローラ１０の駆動、給送ローラ（給紙ローラ）１９の駆動、並びにヘッド回復手段６０５の駆動は、同一の駆動モータ２０によって行われる。
【００１７】
つまり、駆動モータ２０が正転するときの駆動は、後述する駆動切替手段１０５（図４〜図７）によって、記録動作及び待機のときには第２搬送ローラ１０及び給送ローラ１９に伝達可能になり、読取動作のときには第１搬送ローラ１００に伝達可能となる。また、駆動モータ２０が逆転するときの駆動はヘッド回復手段６０５へ伝達される。機構的には、駆動モータ２０の正転駆動は、駆動切替手段１０５によって記録駆動伝達手段６０３（図２、図８）又は第１搬送ローラ駆動伝達手段１１１（又は図８中の読取駆動伝達手段６０４）へ選択的に駆動伝達され、駆動モータ２０の逆転駆動はワンウエイクラッチ等の一方向伝達手段を介してヘッド回復手段６０５（図８）へ伝達される。
【００１８】
ただし、記録シート２の搬送には１ライン毎の高い送り精度を必要とすることから、読取動作で必要な駆動トルクと記録動作及び回復動作で必要な駆動トルクとでは、その値が異なる。そこで、読取動作に入る際に、ＣＰＵ５００ｈのポートから切り替え回路５００ｉに対してＨｉｇｈ信号（切り替え信号）を送ってドライバ５００ｊへのリファレンス電流値を変えることで、駆動モータ２０のピーク電流を切り替えている。これによって、同一の駆動モータ２０を共用することによるコストダウンと、必要トルクに合わせて電流をコントロールすることによる静音化とを実現することができる。
【００１９】
制御部５００ａには、更に、シート（記録シート及び原稿）の先後端を検知するためのＰＥＳ（Ｐａｐｅｒ  Ｅｄｇｅ  Ｓｅｎｓｏｒ、紙端センサ）２１と、給送ローラ１９の回転位相を検出する不図示のＲＰＳ（Ｒｏｌｌｅｒ  Ｐｏｓｉｔｉｏｎ  Ｓｅｎｓｏｒ）と、原稿の有無を検知する不図示のＤＳ（Ｄｏｃｕｍｅｎｔ  Ｓｅｎｓｏｒ）が設けられている。
【００２０】
次に、図１を参照して記録手段について説明する。記録手段である記録ヘッド１は、第２搬送ローラ１０及び排紙ローラ１７で搬送される記録シート２に画像を記録するものである。本実施形態では、記録手段として、画像データに基づいて、吐出面に配列された複数の吐出口から選択的にインクを吐出して記録するインクカートリッジからなる記録ヘッド１が使用されている。すなわち、インクカートリッジ１は、複数の微細な吐出口（ノズル）、各吐出口に通じる液路、各液路の一部に配置されたエネルギー作用部、各エネルギー作用部に液滴吐出エネルギーを発生させるためのエネルギー発生手段を備えている。
【００２１】
このようなインクジェット式の記録手段を用いる構成は、小型化及びランニングコストなどの面で有利である。ただし、インク滴の吐出に伴って発生するインクミストにより装置内部がインクで汚損される可能性があるため、レイアウトの設計には注意が必要である。本実施形態においては、インクミストによる不都合を回避するために、読取部２８を構成するコンタクトイメージセンサ（ＣＳともいう）２２は、第２搬送ローラ１０の上流側であって、装置のシャーシ７により飛散インクから遮断された位置に配設されている。また、読取部２８は記録部４６における記録シート２の画像形成面から離間しており、記録部４６において紙ジャム等が生じても未定着インクがＣＳ２２の読取面や白基準２５に付着するトラブルを回避することができる。
【００２２】
微細な吐出口からインクを吐出して記録するインクジェット記録装置においては、吐出口内方への気泡や塵埃の混入、あるいはインク溶剤の蒸発に伴うインクの増粘や固着に起因して吐出不良による画質劣化の可能性がある。そこで、本実施形態においては、吐出不良の要因を除去するために、吐出口内のインクをリフレッシュしたり、吐出口周辺部を清浄化するためのヘッド回復手段６０５が設けられている。
【００２３】
次に、キャリッジ４に搭載された記録ヘッド１によって記録シート２に画像を記録する記録部４６について説明する。図１〜図３において、キャリッジ４は、記録ヘッド１を搭載して記録シート２の幅方向に走査するものであり、装置本体の幅方向に互いに平行に設置されたガイド軸６０及びガイドレール７ａに沿って往復移動可能に案内支持されている。このキャリッジ４は、キャリッジ駆動モータ３３により、プーリ（不図示）に掛け渡された無端ベルト状のタイミングベルトを介して往復駆動される。こうして、キャリッジ４上の記録ヘッド１によって記録シート２を主走査しながら画像を記録していく。この場合の記録は、キャリッジ４の移動に同期して画像データに基づいて記録ヘッド１を駆動することにより行われる。
【００２４】
１ライン分の記録が終了すると記録シート２を搬送方向（副走査方向）に所定量だけ紙送りし、次いで、再びキャリッジ４の移動に同期して記録ヘッド１を駆動することで次の１ライン分の画像を記録していく。以下、上記の１ライン分の記録と所定ピッチの紙送りを交互に繰り返すことで記録シート２の全体の記録が行われる。記録シート２の紙送り（搬送）は、駆動モータ２０に連結される第２搬送ローラ１０を所定量回転させることにより行われる。もしなんらかの理由（例えばモータの単品不良）により第２搬送ローラ１０の回転量が不安定になると、画像中に回転量オーバーによる白抜け部が生じたり、回転量不足による重ね打ち（黒い筋）が生じたりして画質劣化の原因となる。そのため、第２搬送ローラ１０の搬送量（回転量）には高い精度を要求される。
【００２５】
通常、キャリッジ４の待機位置（図２の位置）はガイドレール７ａの右端部に選定され、この待機位置では、吐出口周辺が乾燥しないように記録ヘッド１の吐出面をゴム状弾性体からなるキャップでキャッピングすることが行われている。また、読取動作の際にもキャリッジ４は待機位置に停止している。記録ヘッド１のインクカートリッジのインクが無くなった場合の交換は、図２及び図３に示すキャッピングポジションでインクカートリッジ１を手前側に取り外すことで行う。
【００２６】
次に、記録シート２及び原稿１２を１枚ずつ分離給送する給送手段６０２について説明する。図１〜図３において、シート積載部にはベース部材３５が設けられ、該ベース部材上に形成された給紙トレイ８上には複数枚の記録シート２が積載されている。また、ベース部材３５には一端部（上端部）の支点を中心に回動可能な圧板９が装着されており、記録シート２は該圧板によって給送ローラ１９へ向けて付勢可能に支持されている。給紙トレイ８の前面側（上面側）には原稿１２を積載するための原稿トレイ１１が設けられ、該原稿トレイ１１上の原稿１２は、給紙トレイ８上の記録シート２とは、移動可能なセパレータ１０２によって区分されている。
【００２７】
シート積載部の出口の近傍には給送ローラ１９が配設されている。この給送ローラ１９は、記録シート２及び原稿１２に共通の分離給送用のローラである。給送ローラ１９は、プラスチックで成型された軸部材１９ｂの一部（本実施形態では１箇所）に形成された大径の円筒部に硬質ゴム等の摩擦弾性体１９ａを取り付けて構成されている。この給送ローラ１９の軸部材１９ｂの両端部はベース部材３５に回動自在に軸支されている。この軸部材１９ｂの一端部は、記録駆動伝達手段６０３に連結されるとともに、第２搬送ローラ１０を経て駆動モータ２０に連結されている。
【００２８】
圧板９は、給送ローラ１９とベース部材３５との間に位置し、ベース部材３５に回動自在に軸支されている。この圧板９は、給送ローラ１９に一体に形成されたカムによって、給送ローラが図１中の矢印Ａ方向に回転するときに該給送ローラの外周面に接触したり、離間するようになっている。記録シート２の給紙動作は、図３におけるベース部材３５の右側面を基準としている。原稿１２の幅方向の略中心（例えば基準より約１３６ｃｍ）に摩擦弾性体の給送ローラ１９ａが配置されている。そのため、非定型のシート、例えばＡ５サイズ縦送りなどの幅の狭い記録シートや原稿にも対応可能となっている。
【００２９】
給送ローラ１９はＤ字状の断面形状をしている。給送ローラ１９は図１に示す待機状態でＤ字状の切り欠き部が記録シート又は原稿と対面するように停止している。駆動モータ２０の駆動が後述する駆動切替手段１０５を介して第２搬送ローラ１０へ伝達され、さらに記録駆動手段６０３（図２）を介して給送ローラ１９へ伝達されると、該給送ローラ１９が回転する。すると、給送ローラ１９の摩擦弾性体１９ａに接触したシート（記録シート２又は原稿１２）はリタードローラ３１でせき止められるが、該給送ローラ（摩擦弾性体１９ａ）に直接接した最上位のシートのみが、該給送ローラとの間の摩擦力により分離されてリタードローラ３１の対向部を乗り越えて送り出される（給送される）。
【００３０】
給送ローラ１９は１回転した後、再び円周から退避した切り欠き部（Ｄカット部）が記録シート又は原稿と対面し、かつ圧板９がカムによって押し下げられて待機状態に戻る。そのため、第２搬送ローラ１０により記録シート２又は原稿１２を搬送しているとき、該記録シート又は原稿が給送ローラ１９ａと接触することはない。そのため、記録シート２は、バックテンション等の影響を受けることなく、第２搬送ローラ１０により高精度で搬送することができる。なお、給紙動作を開始しても記録シート２がＰＥＳ２１に到達しない場合は、再度給紙動作を実行する。それでもＰＥＳがオンにならない場合には、記録シート２又は原稿の搬送動作がエラーストップし、表示部５０９にエラー表示される。
【００３１】
次に読取部２８の上流側に配置される第１搬送手段について説明する。第１搬送手段を構成する第１搬送ローラ１００は、記録シート２及び原稿１２に共通の搬送ローラである。給送手段６０２から分離給送されたシート（記録シート１又は原稿１２）は第１搬送ローラ１００と押圧コロ１０１に挟持されて搬送され、読取手段２８へ進入する。ここで、第１搬送ローラ１００は、読取部２８で読み取る際の搬送速度の安定化を目的とするものである。そこで、この第１搬送ローラ１００に対しては、読取部２８で原稿１２を読み取る読取動作のときだけ、後述する駆動切替手段１０５を介して駆動モータ２０の正転駆動が伝達されるように構成されている。
【００３２】
一方、読取部２８の下流側に配置された第２搬送手段は、記録動作のときの記録シート２を高精度で搬送することを目的とするものである。そして、上述の第１搬送ローラ１００の搬送速度は、上記第２搬送手段を構成する第２搬送ローラ１０の搬送速度よりも速い速度に設定されている。このため、記録精度を左右する第２搬送ローラ１０の搬送動作（搬送速度）に対する第１搬送ローラ１００からのバックテンションの作用を無くすことができる。このため、記録部４６において記録シート２を高精度で搬送することができ、高品位の画像記録が可能である。また、第１搬送ローラ１００と第２搬送ローラ１０の周速の差によって、搬送中の記録シート２又は原稿１２のループが形成される。このループにより、原稿１２がＣＳ（コンタクトイメージセンサ）２２の読取面に押し付けられるため、搬送中のシートのバタツキを防止することができる。なお、このループの方向を規制するために搬送経路にリブなどの案内突起を配置してもよい。
【００３３】
次に、駆動切替手段１０５の構成及び動作について具体的に説明する。本実施形態では、第１搬送ローラ１００への駆動は図３〜図７に示すような駆動切替手段１０５を介して行われ、第１搬送ローラ１００への駆動伝達を原稿読取動作時のみに限定すれば、この切替駆動時には第２搬送ローラ１０への駆動負荷の分だけ駆動モータ２０の負荷を更に低減することが可能となる。図３〜図７において、駆動切替手段１０５は、振り子１０６と、振り子ギア１０７と、振り子規制部材１０８と、振り子規制部材１０８と、伝達ギア１０９とを備えている。
【００３４】
伝達ギア１０９は、駆動モータ２０の正転駆動を駆動切替手段１０５へ伝達するためのギアであり、該駆動切替手段１０５の入力ギアとして機能するものである。振り子ギア１０７は、振り子１０６の一方の腕部に軸支されるとともに伝達ギア（太陽ギア）１０９に噛み合いしつつ該伝達ギアの軸心を中心として揺動可能なギア（遊星ギア）である。振り子規制部材（振り子規制手段）１０８は、待機時及び記録時においては振り子１０６の図４中の反時計方向への揺動を規制するとともに、読取時には振り子１０６を図６に示すような第１搬送ローラ１００へ駆動を伝達可能な切り替え位置へ移動可能にする位置規制手段を構成する。
【００３５】
振り子１０６は、一方の腕部で振り子ギア１０７を軸支するとともに、通常状態（待機時及び記録時）では他方の腕部で振り子規制部材１０８に当接することで第１搬送ローラ１００への駆動伝達を遮断し、切替状態（読取時）にキャリッジ４により振り子規制部材１０８が変位させられたときには反時計方向に揺動することで第１搬送ローラ１００へ駆動伝達可能な状態となる。上記の通常状態（待機時及び記録時）では、駆動モータ２０の正転駆動は、伝達ギア１０９及び振り子ギアを介して第２搬送ローラ１０へ伝達され、さらに記録駆動伝達手段６０３を介して給送ローラ１９まで伝達可能な状態になる。
【００３６】
図３〜図７に示すように、振り子規制手段である振り子規制部材１０８は、装置本体のシャーシ７の左端（キャリッジ４のホームポジションと反対側）に回動中心１０８ａを中心に揺動可能に取り付けられている。しかし、振り子規制部材１０８の上端部には弾性変形部１１２が形成されており、待機時及び記録時には図４に示すように振り子規制部材１０８の下端部１０８ｂが振り子１０６の反時計方向揺動を阻止する位置に付勢保持されている。このため、駆動モータ２０が正転しても、その駆動が第１搬送ローラ駆動伝達手段１１（図３）へ伝達されることはなく、従って第１搬送ローラ１００へ駆動が伝達されることもない。
【００３７】
このような状態から読取命令が下されると、キャリッジ４が駆動切替ポジション（ホームポジションと反対側）へ移動し、図６及び図７に示すように、キャリッジ４の左端に突設された解除ボス１１０が振り子規制手段１０８の下端部近傍を装置外側方向（図７中の矢印Ｂ方向）へ押すことで、振り子１０６を突き当て位置よりも更に回転させるのに十分な空隙１１３が形成される。この状態では、振り子ギア１０７が第１搬送ローラ駆動伝達手段１１１（図３）側へ連結されることで、駆動モータ２０からの駆動は該駆動伝達手段１１１を介して第１搬送ローラ１００へ伝達可能になる。
【００３８】
このように一旦駆動が第１搬送ローラ１００まで伝達される状態になれば、駆動モータ２０が逆回転しない限り、振り子規制手段１０８の規制が解除されたままの状態が保たれる。本実施形態においては、このように第１搬送ローラ駆動手段１１１側へ駆動伝達可能な状態にした後、キャリッジ４は再度ホームポジションへ戻される。そして、画像読取動作が終了した後に駆動モータ２０を逆転させることで、振り子１０７は振り子規制手段１０８により回動（揺動）を規制された待機状態（図４、図５）に戻ることが可能となる。  
【００３９】
次に、図１〜図３を用いて、シート搬送動作及び記録動作について説明する。キャリッジ４に搭載された記録ヘッド１等からなる記録部４６に対向配置されたシート搬送部４９は、プラテン３と、該プラテンに軸支された第２搬送ローラ１０と、この第２搬送ローラ１０に当接してシート幅方向に配列された複数（例えば４個）のピンチローラ１６と、第２搬送ローラ１０にピンチローラ１６を圧接するように該ピンチローラを軸支するピンチローラガイド３６と、排紙ローラ１７と、該排紙ローラに当接する複数の拍車１８と、該拍車を排紙ローラ１７に圧接するように軸支する拍車ホルダ５５と、で構成されている。プラテン３は搬送されるシートを裏面から支持する搬送支持面を形成する。排紙ローラ１７はプラスチックとエラストマー等を一体成型した構造を有する。
【００４０】
上記シート搬送部４９は、記録シート２及び原稿１２に共通の搬送機構である。プラテン３のシート支持面には搬送方向に延びる複数のリブ３８が形成されており、シートが該リブの上面に沿って通過するようになっている。第２搬送ローラ１０とピンチローラ１６による搬送方向は、ローラ上流側から下流側に向けて斜め下方向に設定されており、また排紙ローラ１７と拍車１８による搬送方向はローラ上流側から下流側に向けて斜め上方向に設定されている。これにより、シート搬送手段４９によって搬送される記録シート２はプラテン３のシート支持面に当接しながら上下に踊ることなく矢印Ｐ方向へ安定して搬送される。
【００４１】
記録動作は、キャリッジ４の往復移動に同期して記録ヘッド１を画像データに基づいて駆動することにより１ラインの記録を行い、次いで記録シート２を所定ピッチだけ紙送りし、これらの１ラインの記録と所定ピッチの紙送りを交互に繰り返すことにより記録シート２全体に画像が記録される。インクジェット記録の場合は、記録ヘッドの吐出面に配列された複数の吐出口から画像情報に基づいて選択的にインクを吐出することにより画像を形成していく。
【００４２】
図９は本実施形態に係る画像読取記録装置の読取手段である読取部２８を示す模式的縦断面図である。次に図９を用いて読取動作について説明する。図９において、読取手段２８の上流側には第１搬送手段（第１搬送ローラ１００と押圧コロ１０１）が配置され、下流側には第２搬送手段（第２搬送ローラ１０とピンチローラ１６）が配置されている。また、第１搬送手段の直ぐ上流側には、ＰＥＳ（紙端センサ）２１が配置されている。読取部２８は、白基準２５、ＣＳ（コンタクトイメージセンサ）２２及びＣＳホルダ２６から構成されている。本実施形態においては、原稿トレイ１１の原稿積載面に対し上方に給送ローラ１９が配置されているので、送信もしくはコピー時のページ順を考慮し、ＣＳ２２はその読取面が下方を向くように配置されている。原稿１２の先端がＰＥＳ２１を横切ってから第１搬送ローラ１００により所定ステップ数の原稿搬送が行われると、ＣＳ２２によって原稿上の画像データを読み取りつつ、該原稿を更に下流の第２搬送ローラ１０へ向けて搬送する。
【００４３】
図９において、コンタクトイメージセンサ（ＣＳ）２２は、ＣＳホルダ２６に成形された凹部に対しセンサ面が外側になるような姿勢で収容され、該ホルダ２６に締結部材（ネジ）で固定されている。白基準２５は白色シート材を金属板に取付けて形成されている。この金属板は、白色シートを取付ける平面と長手方向両端部を折り曲げて形成された両側板とを有する。上記白色シートの代わりに、白色塗装を施した金属板を使用しても良い。前記両側板には孔が形成されており、該孔にＣＳホルダ２６の軸部を係合することで、白基準２５をＣＳホルダ２６およびＣＳ２２に対して回転可能に支持した状態で不図示のねじりコイルバネにより白基準２５をＣＳ２２側に付勢している。
【００４４】
白基準２５がＣＳ２２に対して付勢された状態で、ＣＳ２２のセンサ面と白基準２５の白色シートとの間には、少なくとも１枚の原稿が通過できるような隙間が形成されている。この隙間は、原稿幅方向の外側に設けられた突起によって、ＣＳ２２のセンサ面との間に形成されている。白基準２５は不図示のねじりコイルバネによって付勢されている。このため、白基準２５は、ＣＳ２２と対向している第１のポジション（図１及び図９に示すような正規位置）と、該ねじりコイルバネに抗して白基準２５がＣＳ２２に対して離反する方向に回動した第２のポジションを取ることができる。白基準２５の第２のポジションは、記録部４６からの飛散インク等によって白基準２５の白色シートあるいはＣＳ２２の読取面が汚損された場合に、ユーザによる汚損部分の清掃を可能にするものである。
【００４５】
また、図９に示すように、読取部２８における画像読取面は、第１搬送ローラ１００と押圧コロ１０１との間のニップ部と第２搬送ローラ１０とピンチローラ１６との間のニップ部を結ぶ線よりも上方にずらした位置に配置されている。このため、搬送中の原稿１２は読取部２８を搬送されているときに常に読取面に向けて付勢されることになり、その結果として、読取搬送中の原稿の浮きやバタつき等の不都合を無くすことができる。また、読取部２８の画像読取面は、第１搬送手段のニップ部と第２搬送手段のニップ部を結ぶ線よりも下方にずらして配置しても良く、これによっても、読取搬送中の原稿の浮きやバタつき等の不都合を無くすことができる。
【００４６】
なお、前述の実施形態では、記録部がキャリッジに搭載した記録ヘッドで記録するシリアルタイプの記録装置である場合を例に挙げて説明したが、本発明は、フルラインヘッド等からなるラインタイプの記録装置を用いる画像読取記録装置など、他の記録形態の画像読取記録装置に対しても同様に適用できるものであり、同様の作用効果を奏するものである。また、前述の実施形態では、記録部（記録装置）の記録方式がインクジェット式である場合を例に挙げて説明したが、本発明は、熱転写式、感熱式、レーザビーム照射式、ワイヤドット式など、記録方式の如何に関わらず適用可能なものであり、同様の作用効果を奏するものである。
【００４７】
また、本発明は、記録手段（記録ヘッド）の構造や数にも関係なく、同様に適用することができ、同様の効果を達成し得るものである。さらに、本発明に係る画像読取記録装置は、装置単体のみならず、複写機、ファクシミリ、撮像画像形成装置などを組み合わせた複合装置における画像読取記録装置、さらにはコンピュータシステムなどの複合装置の入出力機器としての画像読取記録装置など、画像情報の読取や記録を行う装置に対して広く適用可能であり、同様の作用効果を奏するものである。
【図面の簡単な説明】
【００４８】
【図１】本発明による画像読取記録装置の一実施形態の構成を示す模式的縦断面図である。
【図２】図１の画像読取記録装置を右側上部から模式的斜視図である。
【図３】図１の画像読取記録装置を左側上部から見た模式的斜視図である。
【図４】図３中の駆動切替手段の待機状態を模式的に示す部分正面図である。
【図５】図３中の駆動切替手段の待機状態を模式的に示す部分側面図である。
【図６】図３中の駆動切替手段の第１搬送ローラへの駆動伝達状態を模式的に示す部分正面図である。
【図７】図３中の駆動切替手段の第１搬送ローラへの駆動伝達状態を模式的に示す部分側面図である。
【図８】図１の画像読取記録装置の制御基板及び該基板に接続された各機能部を示すブロック図である。
【図９】本発明による画像読取記録装置の一実施形態における読取部を示す模式的縦断面図である。
【符号の説明】
【００４９】
１        記録手段（記録ヘッド、インクカートリッジ）
２        記録シート（シート、記録媒体）
３        プラテン
４        キャリッジ
７        シャーシ
７ａ      ガイドレール
８        給紙トレイ
９        圧板
１０      第２搬送ローラ（第２搬送手段）
１１      原稿トレイ
１２      原稿（シート）
１６      ピンチローラ
１７      排紙ローラ（排紙手段）
１８      拍車
１９      給送ローラ（給紙ローラ）
１９ａ    摩擦弾性体
２０      駆動モータ
２１      ＰＥＳ（ページエッジセンサ）
２２      ＣＳ（コンタクトイメージセンサ）
２５      白基準
２６      ＣＳホルダ
２８      読取手段（読取部）
３１      リタードローラ
３３      キャリッジ駆動モータ
３８      リブ（プラテンの支持面）
４６      記録部
４９      シート搬送部
１００    第１搬送ローラ（第１搬送手段）
１０２    セパレータ
１０５    駆動切替手段
１０６    振り子
１０７    振り子ギア
１０８    振り子規制部材
１０９    伝達ギア
１１０    解除ボス
１１１    第１搬送ローラ駆動伝達手段
５００    制御基板
５００ａ  制御部
６０２    給送手段（給送部、給紙部）
６０３    記録駆動伝達手段
６０４    読取駆動伝達手段
【図１】
2006270316.tif 000003
【図２】
2006270316.tif 000004
【図３】
2006270316.tif 000005
【図４】
2006270316.tif 000006
【図５】
2006270316.tif 000007
【図６】
2006270316.tif 000008
【図７】
2006270316.tif 000009
【図８】
2006270316.tif 000010
【図９】
2006270316.tif 000011